(57)【要約】【解決手段】先に倒される相対する側壁３に、縦長の透孔４ｄ１が穿設された端側部４ｄを有する一体成形のロック部材４を対向するように配置し、その後、ロック部材を、先に倒される側壁に接近させて、端側部に穿設された縦長の透孔に、先に倒される側壁に突設された嵌合突部３ｐを挿入するようにした折り畳みコンテナーへのロック部材４の取り付け方法に関するものである。【効果】ロック部材を、単に、先に倒される相対する一方の側壁に接近させるだけの作業により、ロック部材を取り付けることができるので、ロック部材の側壁への取り付け作業の作業性が向上する。【選択図】図９
2006137458.tif 000002
【特許請求の範囲】
【請求項１】
箱型に組み立てられた状態から、先に、底部に重なるように倒される相対する一方の側壁と、該一方の側壁に次いで後から、底部に重ねられた前記一方の側壁の上に重なるように倒される相対するもう一方の側壁とを有する折り畳みコンテナーへのロック部材の取り付け方法において、前記先に倒される相対する側壁に、縦長の透孔が穿設された端側部を有する一体成形のロック部材を対向するように配置し、その後、前記ロック部材を、前記先に倒される側壁に接近させて、前記端側部に穿設された縦長の透孔に、前記先に倒される側壁に突設された嵌合突部を挿入するようにしたことを特徴とする折り畳みコンテナーへのロック部材の取り付け方法。
【請求項２】
前記ロック部材に穿設されたスリットに、前記先に倒される側壁に形成された取付けブロックを挿入するとともに、該取付けブロックを、前記ロック部材に係合するようにしたことを特徴とする請求項１に記載の折り畳みコンテナーへのロック部材の取り付け方法。
【請求項３】
箱型に組み立てられた状態から、先に、底部に重なるように倒される相対する一方の側壁と、該一方の側壁に次いで後から、底部に重ねられた前記一方の側壁の上に重なるように倒される相対するもう一方の側壁とを有する折り畳みコンテナーにおいて、前記先に倒される側壁に対向するように配置された一体成形のロック部材の端側部に穿設された縦長の透孔に、前記先に倒される側壁に突設された嵌合突部が挿入されていることを特徴とする折り畳みコンテナー。
【請求項４】
前記ロック部材に形成されたスリットに、前記先に倒される側壁に形成された取付けブロックが挿入され、該取付けブロックにより、前記ロック部材が係合されていることを特徴とする請求項３に記載の折り畳みコンテナー。
【発明の詳細な説明】
【技術分野】
【０００１】
本発明は、底部を囲むように配設された側壁が、底部に重なるように折り畳むことが可能な折り畳みコンテナーへのロック部材の取り付け方法及びロック部材が取り付けられた折り畳みコンテナーに関するものである。
【背景技術】
【０００２】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短辺部を立てることにより、箱型に組み立てられ、また、折り畳む際には、底部の上に重なるように、長側壁及び短側壁を折り畳むように構成された折り畳みコンテナーが知られており、箱型に組み立てられ状態においては、長側壁或いは短側壁が、底部方向に倒れないように、互いに、ロック機構により、ロックされるように構成されている。
【０００３】
一例として、長側壁に係合凹部を形成し、該係合凹部に、短側壁に上下動可能に配設した係合部材（ロック部材）を係合させることにより、ロック機構を構成した折り畳みコンテナーが、特許文献１に開示されている。
【０００４】
【特許文献１】特開２００３−４０２６３号公報
【発明の開示】
【発明が解決しようとする課題】
【０００５】
従来の折り畳みコンテナーへのロック部材の取り付けにおいては、短側壁に上下動可能なように配設されたロック部材が、複数の部品から構成されているために、短側壁へのロック部材の取付けけには、時間が係り、ロック部材の短側壁への組み付け作業の作業性が悪いとともに、ロック部材の短側壁への組み付け作業には、熟練を要するという問題があった。
【０００６】
また、従来の折り畳みコンテナーにおいては、短側壁に上下動可能なように配設されたロック部材が、複数の部品から構成されているために、部品間に緩みが生じ、ロック部材としての機能が失われたり、ロック部材が分解するという問題があった。
【０００７】
本発明の目的は、上述した従来の折り畳みコンテナーへのロック部材の取り付け方法及び折り畳みコンテナーが有する課題を解決することにある。
【課題を解決するための手段】
【０００８】
本発明は、上述した目的を達成するために、箱型に組み立てられた状態から、先に、底部に重なるように倒される相対する一方の側壁と、該一方の側壁に次いで後から、底部に重ねられた前記一方の側壁の上に重なるように倒される相対するもう一方の側壁とを有する折り畳みコンテナーへのロック部材の取り付け方法において、第一には、前記先に倒される相対する側壁に、縦長の透孔が穿設された端側部を有する一体成形のロック部材を対向するように配置し、その後、前記ロック部材を、前記先に倒される側壁に接近させて、前記端側部に穿設された縦長の透孔に、前記先に倒される側壁に突設された嵌合突部を挿入するようにしたものであり、第２には、前記ロック部材に穿設されたスリットに、前記先に倒される側壁に形成された取付けブロックを挿入するとともに、該取付けブロックを、前記ロック部材に係合するようにしたものである。
【０００９】
また、本発明は、上述した目的を達成するために、箱型に組み立てられた状態から、先に、底部に重なるように倒される相対する一方の側壁と、該一方の側壁に次いで後から、底部に重ねられた前記一方の側壁の上に重なるように倒される相対するもう一方の側壁とを有する折り畳みコンテナーにおいて、第一には、前記先に倒される側壁に対向するように配置された一体成形のロック部材の端側部に穿設された縦長の透孔に、前記先に倒される側壁に突設された嵌合突部が挿入されているものであり、第二には、前記ロック部材に形成されたスリットに、前記先に倒される側壁に形成された取付けブロックが挿入され、該取付けブロックにより、前記ロック部材が係合されているものである。
【発明の効果】
【００１０】
先に倒される相対する側壁に、縦長の透孔が穿設された端側部を有する一体成形のロック部材を対向するように配置し、その後、ロック部材を、先に倒される側壁に接近させて、端側部に穿設された縦長の透孔に、前記先に倒される側壁に突設された嵌合突部を挿入するように構成したので、ロック部材を、単に、先に倒される相対する一方の側壁に接近させるだけの作業により、ロック部材を取り付けることができるので、ロック部材の側壁への取り付け作業の作業性が向上する。
【００１１】
また、ロック部材に穿設された縦長の透孔に、先に倒される相対する一方の側壁に突設された嵌合突部を挿入するようにしたので、ロック部材の前記側壁方向への移動が抑制されることになり、従って、常に安定した状態で、ロック部材を上下動することができ、ひいては、先に倒される側壁と後から倒される側壁とのロック作業及びロック解除作業を、更に確実に行うことができる。
【００１２】
更に、先に倒される相対する一方の側壁に、係止ブロック及びスリットが形成された一体成形のロック部材を対向するように配置し、その後、ロック部材を、先に倒される相対する一方の側壁に接近させて、ロック部材に穿設されたスリットに、先に倒される相対する一方の側壁に形成された取付けブロックを挿入するとともに、該取付けブロックを、ロック部材に係合するように構成したので、ロック部材を、単に、先に倒される相対する一方の側壁に接近させるだけの作業により、ロック部材を取り付けることができるので、ロック部材の側壁への取り付け作業の作業性が向上する。
【００１３】
更にまた、ロック部材のスリットに、先に倒される相対する一方の側壁に形成された取付けブロックが挿入されているので、ロック部材の水平方向への移動が抑制されることになり、従って、常に安定した状態で、ロック部材を上下動することができ、ひいては、先に倒される側壁と後から倒される側壁とのロック作業及びロック解除作業を、確実に行うことができる。
【００１４】
先に倒される側壁に対向するように配置された一体成形のロック部材の端側部に穿設された縦長の透孔に、先に倒される側壁に突設された嵌合突部が挿入されているので、ロック部材の前記側壁方向への移動が抑制されることになり、従って、常に安定した状態で、ロック部材を上下動することができ、ひいては、先に倒される側壁と後から倒される側壁とのロック作業及びロック解除作業を、更に確実に行うことができる。
【００１５】
また、先に倒される相対する一方の側壁に対向するように配置された一体成形のロック部材に形成されたスリットに、先に倒される相対する一方の側壁に形成された取付けブロックが挿入され、該取付けブロックにより、ロック部材が係合されているので、ロック部材の水平方向への移動が抑制されることになり、従って、常に安定した状態で、ロック部材を上下動することができ、ひいては、先に倒される側壁と後から倒される側壁とのロック作業及びロック解除作業を、確実に行うことができる。
【００１６】
更に、ロック部材が一体成形されているので、上述した従来の複数の部品から構成されているロック部材のように、部品間に緩みが生じるようなことがなく、従って、常に安定した状態で、先に倒される側壁と後から倒される側壁とのロック状態を維持することができる。
【実施例】
【００１７】
以下に、本発明の実施例について説明するが、本発明の趣旨を越えない限り、何ら、本実施例に限定されるものではない。
【００１８】
先ず最初に、図１〜図３を用いて、本発明の折り畳みコンテナーの全体構成について概説する。
【００１９】
本発明の折り畳みコンテナーは、底部１と、底部１の相対する長辺側土手部１ａにヒンジ連結された長側壁２と、底部１の相対する短辺側土手部１ｂにヒンジ連結された短側壁３とから構成されており、本実施例においては、長辺側土手部１ａは、短辺側土手部１ｂより高く構成されている。
【００２０】
図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されており、また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【００２１】
次に、図１〜図４を用いて、長側壁２について説明する。
【００２２】
長側壁２は、横長の略長方形状の板状部２ａを有しており、長側壁２の両垂直端には、長側壁２の内面（折り畳みコンテナーを図１に示されているように、箱型に組み立てた際に、箱型に組み立てられた折り畳みコンテナーの内側に位置する面）２ａ１に対して略垂直な縦長の係合枠２ｂが形成されており、係合枠２ｂには、上下方向に所定の間隔を置いて、板状部２ａに略平行な嵌合孔２ｂ１が、適当数、形成されている。なお、本実施例には、３個の嵌合孔２ｂ１が形成されている例が示されている。
【００２３】
上述した係合枠２ｂ付近に位置する長側壁２の板状部２ａの内面２ａ１の上部には、係合枠２ｂに沿って、略四角柱状の係止ブロック２ｃが突設されている。係合枠２ｂの内側面２ｂ２と対向する係止ブロック２ｃの面（以下、対向面という。）２ｃ１は、係合枠２ｂの内側面２ｂ２と略平行に形成されているとともに、係合枠２ｂの内側面２ｂ２と係止ブロック２ｃの対向面２ｃ１との間には、所定の間隙Ｗ１が形成されている。また、係止ブロック２ｃの対向面２ｃ１と相対するとともに、対向面２ｃ１に対して略平行な側面２ｃ２の少なくとも略下半分には、係止ブロック２ｃ方向に向かって傾斜した傾斜面２ｃ２’が形成されている。なお、係止ブロック２ｃは、係合枠２ｂを越えて飛び出さないように構成されている。
【００２４】
次に、図１、図２、図５及び図６等を用いて、短側壁３について説明する。
【００２５】
短側壁３は、横長の略長方形状の板状部３ａを有しており、板状部３ａの上下端には、板状部３ａに略垂直で、且つ、外側（図１に示されているように、折り畳みコンテナーを箱型に組み立てた際に、折り畳みコンテナーの外側）に延在する上端水平リブ３ｂ及び下端水平リブ３ｃが、それぞれ形成されている。また、短側壁３の板状部３ａの外面（図１に示されているように、折り畳みコンテナーを箱型に組み立てた際に、折り畳みコンテナーの外側に位置する面）３ａ１の上部領域には、上端水平リブ３ｂに平行な一対の水平リブ３ｄ、３ｅが、所定の間隔を置いて形成されている。なお、便宜的に、上方に位置する水平リブ３ｄを上部区画水平リブと称し、下方に位置する水平リブ３ｅを下部区画水平リブと称する。上記の上端水平リブ３ｂ、上部区画水平リブ３ｄ及び下部区画水平リブ３ｅの長さは、略同じ長さに形成されているとともに、上端水平リブ３ｂ、上部区画水平リブ３ｄ及び下部区画水平リブ３ｅの奥行（上端水平リブ３ｂ、上部区画水平リブ３ｄ及び下部区画水平リブ３ｅの板状部３ａの外面３ａ１からの高さ）Ｄ１は、それぞれ、略同じに形成されている。
【００２６】
上端水平リブ３ｂの両端と上部区画水平リブ３ｄの両端とは、上部垂直側端リブ３ｆにより連結されており、また、下部区画水平リブ３ｅの両端と、下部区画水平リブ３ｅの下方に位置するとともに、下部区画水平リブ３ｅに平行な下部水平リブ３ｅ’の両端とは、下部垂直側端リブ３ｇにより連結されている。上部垂直側端リブ３ｆと下部垂直側端リブ３ｇとは、短側壁３の板状部３ａの外面３ａ１を正面から見た場合に、上下方向に、略一直線状に配置されている。
【００２７】
短側壁３には、板状部３ａを、上部垂直側端リブ３ｆ及び下部垂直側端リブ３ｇを越えて延在することにより、縦長の板状の帯状枠３ｈが形成されている。また、帯状枠３ｈには、上部垂直側端リブ３ｆ及び下部垂直側端リブ３ｇに略平行な適当数の嵌合突部３ｈ１が突設されており、嵌合突部３ｈ１は、折り畳みコンテナーが箱型に組み立てられた際に、上述した長側壁２の係合枠２ｂに形成された嵌合孔２ｂ１に挿入されるように構成されている。本実施例においては、上部垂直側端リブ３ｆの側方に１個及び下部垂直側端リブ３ｇの側方に２個の合計３個の嵌合突部３ｈ１が形成されている例が示されている。このように、上述した長側壁２の係合枠２ｂに穿設されている３個の嵌合孔２ｂ１に対応して、帯状枠３ｈには、３個の嵌合突部３ｈ１が形成されている。更に、上部垂直側端リブ３ｆと下部区画水平リブ３ｅとの間に位置する帯状枠３ｈには、折り畳みコンテナーが箱型に組み立てられた際に、上述した長側壁２に形成された係止ブロック２ｃの一部が入り込むことが可能な切欠き凹部３ｉが形成されている。
【００２８】
短側壁３に形成された上部区画水平リブ３ｄの両端部付近と下部区画水平リブ３ｅの両端部付近とは、一対の端部垂直連結リブ３ｊにより連結されており、また、端部垂直連結リブ３ｊより、短側壁３の中央部寄りには、上部区画水平リブ３ｄと下部区画水平リブ３ｅとを連結する一対の端部寄り垂直連結リブ３ｋが形成されており、更に、端部寄り垂直連結リブ３ｋより、短側壁３の中央部寄りには、上部区画水平リブ３ｄと下部区画水平リブ３ｅとを連結する一対の中央部寄り垂直連結リブ３ｍが形成されている。端部寄り垂直連結リブ３ｋ及び中央部寄り垂直連結リブ３ｍの奥行（端部寄り垂直連結リブ３ｋ及び中央部寄り垂直連結リブ３ｍの板状部３ａの外面３ａ１からの高さ）Ｄ２は、それぞれ、略同じで、且つ、上述した上端水平リブ３ｂ、上部区画水平リブ３ｄ及び下部区画水平リブ３ｅの奥行Ｄ１より狭く形成されている。
【００２９】
上述した短側壁３に形成された端部寄り垂直連結リブ３ｋの先端面には、略三角柱状の取付けブロック３ｎが形成されている。略三角柱状の取付けブロック３ｎは、上面３ｎ１と、下面３ｎ２と、端部寄り垂直連結リブ３ｋの中央部寄り垂直連結リブ３ｍ側の側面３ｋ１と面一な側面３ｎ３と、端部垂直連結リブ３ｊ側に位置するとともに取付けブロック３ｎの先端から端部垂直連結リブ３ｊに向かって傾斜した傾斜面３ｎ４と、板状部３ａの外面３ａ１に略平行な奥面３ｎ５とにより形成されており、傾斜面３ｎ４と奥面３ｎ５とにより形成される楔状部３ｎ’は、端部寄り垂直連結リブ３ｋの端部垂直連結リブ３ｊ側の側面３ｋ２より突出するように構成されている。
【００３０】
上述した短側壁３に形成された端部垂直連結リブ３ｊの帯状枠３ｈ側の側面３ｊ１には、側面３ｊ１に略垂直な嵌合突部３ｐが突設されている。本実施例においては、嵌合突部３ｐは、略円柱状に形成されている。また、嵌合突部３ｐの先端面には、端部垂直連結リブ３ｊの先端に向かって傾斜した傾斜面３ｐ１が形成されている。
【００３１】
また、上述した短側壁３の端部寄り垂直連結リブ３ｋ付近の板状部３ａの外面３ａ１には、一対の弾性片載置ブロック３ｑが突設されている。なお、弾性片載置ブロック３ｑは、板状部３ａの外面３ａ１と端部寄り垂直連結リブ３ｋの中央部寄り垂直連結リブ３ｍ側の側面３ｋ１とにより形成される隅部に形成されることが好ましい。また、弾性片載置ブロック３ｑの先端が、端部寄り垂直連結リブ３ｋの先端を越えないように構成されている。
【００３２】
なお、３ｒは、上部区画水平リブ３ｄと下部区画水平リブ３ｅとを連結する縦リブであり、３ｓは、下部区画水平リブ３ｅと下部水平リブ３ｅ’とを連結する垂直リブであり、３ｔは、下部水平リブ３ｅ’と下端水平リブ３ｃとを連結する垂直リブであり、必要に応じて適宜、形成することができる。
【００３３】
次に、主として、図７及び図８を用いて、短側壁３に配設される合成樹脂で一体成形されたロック部材４について説明する。
【００３４】
ロック部材４は、上部水平部４ａ１と、下部水平部４ａ２と、上部水平部４ａ１の両端と下部水平部４ａ２の両端を連結する相対する側部垂直部４ａ３と、上部水平部４ａ１と下部水平部４ａ２と一対の側部垂直部４ａ３とにより形成された額縁状枠体の一方の開口を閉鎖する奥板４ａ４とにより形成された箱状本体４ａを有しており、箱状本体４ａには、上部水平部４ａ１と下部水平部４ａ２と相対する側部垂直部４ａ３と奥板４ａ４により囲まれた把手用凹部４ｂが形成されている。
【００３５】
箱状本体４ａを構成する相対する側部垂直部４ａ３には、箱状本体４ａの側部垂直部４ａ３に対して略垂直な側杆４ｃが、それぞれ延設されている。側杆４ｃは、箱状本体４ａの側部垂直部４ａ３に対して略垂直な上部水平部４ｃ１と、同じく、側部垂直部４ａ３に対して略垂直な下部水平部４ｃ２と、上部水平部４ｃ１の先端と下部水平部４ｃ２の先端を連結する側部垂直部４ｃ３と、上部水平部４ｃ１と下部水平部４ｃ２と側部垂直部４ｃ３と箱状本体４ａを構成する側部垂直部４ａ３により形成された額縁状枠体を閉鎖する閉鎖板４ｃ４とにより構成されている。側杆４ｃの上部水平部４ｃ１の上面と箱状本体４ａの上部水平部４ａ１の上面とは、面一に形成されており、また、側杆４ｃの下部水平部４ｃ２の下面と箱状本体４ａの下部水平部４ａ２の下面とも、面一に形成されている。
【００３６】
上述した側杆４ｃには、側部垂直部４ｃ３を、箱状本体４ａの側部垂直部４ａ３と略平行に延在することにより、側杆４ｃの閉鎖板４ｃ４に略垂直な端側部４ｄが形成されており、端側部４ｄには、縦長の透孔４ｄ１が穿設されている。また、端側部４ｄの箱状本体４ａの側部垂直部４ａ３側の角部には、傾斜面４ｄ２が形成されている。更に、端側部４ｄの外側面の下部には、外側面に略垂直な略三角柱状の係合ブロック４ｅが突設されている。略三角柱状の係合ブロック４ｅは、先端面４ｅ１と、底面４ｅ２と、略垂直な奥４ｅ３と、係合ブロック４ｅの上端から側部垂直部４ｃ３方向に向かって下方に傾斜した傾斜面４ｅ４とから構成されている。なお、端側部４ｄに穿設された縦長の透孔４ｄ１の上部に位置する端側部４ｄの外側面の上部には、必要に応じて、外側面に略垂直で、且つ、略四角柱状の当接ブロック４ｆが突設されており、当接ブロック４ｆの上面は、側杆４ｃの上部水平部４ｃ１の上面と略面一に形成されている。
【００３７】
上述した側杆４ｃの閉鎖板４ｃ４には、端側部４ｄや箱状本体４ａを構成する側部垂直部４ａ３と略平行に縦リブ４ｇが形成されており、縦リブ４ｇの端側部４ｄ側の側面４ｇ１の上部には、端側部４ｄに向かって下方に傾斜して延在する帯板状の弾性片４ｈが形成されている。
【００３８】
また、上述した縦リブ４ｇと端側部４ｄとの間に位置する側杆４ｃの閉鎖板４ｃ４には、縦長のスリット４ｉが穿設されており、スリット４ｉには、短側壁３に形成された端部寄り垂直連結リブ３ｋの先端面に突設された略三角柱状の取付けブロック３ｎが挿入されるように構成されている。なお、４ｊは、スリット４ｉに隣接した閉鎖板４ｃ４に形成された補強縦状リブであり、適宜、省略することができる。また、４ｋは、側杆４ｃの閉鎖板４ｃ４と、縦リブ４ｇの箱状本体４ａ側の側面４ｇ２とにより形成される隅部に形成された補強水平リブであり、適宜、省略することができる。
【００３９】
上述した構成を有するロック部材４は、後述するように、短側壁３の板状部３ａに形成された上部区画水平リブ３ｄと下部区画水平リブ３ｅとにより区画された領域に取り付けられることになるが、ロック部材４の高さ（箱状本体４ａを構成する上部水平部４ａ１の上面と下部水平部４ａ２に下面との間の距離）Ｈ１は、短側壁３の板状部３ａに形成された上部区画水平リブ３ｄの下面と下部区画水平リブ３ｅの上面との間の間隔Ｈ２より低く形成されている。
【００４０】
次に、主として、図９及び図１０を用いて、短側壁３へのロック部材４の取り付けについて説明する。
【００４１】
先ず最初に、ロック部材４を構成する側杆４ｃに形成された弾性片４ｈが、板状部３ａの外面３ａ１側に位置するとともに、ロック部材４を構成する箱状本体４ａの奥板４ａ４や側杆４ｃの閉鎖板４ｃ４が、板状部３ａの外面３ａ１と略平行に対向するように、短側壁３とロック部材４を配置する。
【００４２】
次いで、ロック部材４を、短側壁３に接近させて、ロック部材４の箱状本体４ａを、板状部３ａの外面３ａ１と該外面３ａ１に形成された上部区画水平リブ３ｄと下部区画水平リブ３ｅと相対する中央部寄り垂直連結リブ３ｍとにより囲まれた空間部Ａ１に挿入するとともに、ロック部材４に形成された帯板状の弾性片４ｈの先端部を、短側壁３の板状部３ａの外面３ａ１に突設された弾性片載置ブロック３ｑの上面に載置する。なお、ロック部材４を構成する箱状本体４ａの上部水平部４ａ１が、上部区画水平リブ３ｄに近接するように配置した状態で、ロック部材４を、短側壁３に接近させることにより、ロック部材４に形成された帯板状の弾性片４ｈの先端部が、短側壁３の板状部３ａの外面３ａ１に突設された弾性片載置ブロック３ｑの上面に載置されるように構成されている。
【００４３】
また、上述したロック部材４に形成された帯板状の弾性片４ｈの先端部を、短側壁３の板状部３ａの外面３ａ１に突設された弾性片載置ブロック３ｑの上面に載置する際には、ロック部材４を構成する側杆４ｃの閉鎖板４ｃ４に、所定の間隔を置いて穿設された一対の縦長のスリット４ｉに、短側壁３に形成された一対の端部寄り垂直連結リブ３ｋの先端面に突設された略三角柱状の取付けブロック３ｎの先端部をそれぞれ挿入する。この状態から、ロック部材４を、更に、短側壁３に接近させると、一対の取付けブロック３ｎが、互いに接近する方向に弾性変形しながらスリット４ｉに挿入され、取付けブロック３ｎが、スリット４ｉを通過した時点で、取付けブロック３ｎは、その弾性復元力により、互いに離反する方向に移動し、元の状態に戻ることになる。このように、取付けブロック３ｎが、元の状態に戻ることにより、取付けブロック３ｎの傾斜面３ｎ４と奥面３ｎ５とにより形成された楔状部３ｎ’が、短側壁３の板状部３ａの外面３ａ１に当接或いは接近することになる。換言すれば、取付けブロック３ｎの楔状部３ｎ’を構成する奥面３ｎ５の先端部が、短側壁３の板状部３ａの外面３ａ１に当接、或いは、接近することになり、ロック部材４の短側壁３からの離脱を防止するように構成されている。
【００４４】
更に、上述したロック部材４を、短側壁３に接近させる過程において、ロック部材４を構成する端側部４ｄに形成された傾斜面４ｄ２が、端部垂直連結リブ３ｊの先端に当接し案内されながら、端側部４ｄが、端部垂直連結リブ３ｊの帯状枠３ｈ側の側面３ｊ１に接近する或いは当接するように構成されている。このように、ロック部材４を、短側壁３に接近させることにより、ロック部材４を構成する端側部４ｄに穿設された縦長の透孔４ｄ１に、短側壁３に形成された端部垂直連結リブ３ｊの帯状枠３ｈ側の側面３ｊ１に突設された嵌合突部３ｐが挿入されることになる。即ち、嵌合突部３ｐの先端面に形成された傾斜面３ｐ１に、ロック部材４を構成する端側部４ｄの傾斜面４ｄ２を当接させて、強制的に、端側部４ｄを外側に湾曲変形させることにより、相対する端側部４ｄの間隔を弾性的に拡張させながら、ロック部材４を短側壁３に接近させて、ロック部材４を構成する端側部４ｄに穿設された縦長の透孔４ｄ１に、端部垂直連結リブ３ｊの帯状枠３ｈ側の側面３ｊ１に突設された嵌合突部３ｐを挿入する。なお、嵌合突部３ｐが、端側部４ｄに穿設された縦長の透孔４ｄ１に挿入された時点で、外側に湾曲変形した端側部４ｄは、その復元力により、元の位置に戻ることになる。このように、ロック部材４を構成する端側部４ｄに穿設された縦長の透孔４ｄ１に、端部垂直連結リブ３ｊの帯状枠３ｈ側の側面３ｊ１に突設された嵌合突部３ｐを挿入することにより、ロック部材４の短側壁３からの離脱を防止するように構成されている。
【００４５】
上述したように、短側壁３に形成された上部区画水平リブ３ｄの両端部付近と下部区画水平リブ３ｅの両端部付近とは、一対の端部垂直連結リブ３ｊにより連結されているが、端部垂直連結リブ３ｊを、短側壁３の板状部３ａから少し離して形成することが好ましい。換言すれば、端部垂直連結リブ３ｊと短側壁３の板状部３ａとの間に、スリット形成することが好ましい。このようなスリットを形成することにより、端部垂直連結リブ３ｊが弾性変形し易くなり、従って、ロック部材４を短側壁３に接近させて、ロック部材４を構成する端側部４ｄに穿設された縦長の透孔４ｄ１に、端部垂直連結リブ３ｊの帯状枠３ｈ側の側面３ｊ１に突設された嵌合突部３ｐを挿入する上記透孔４ｄ１への嵌合突部３ｐの挿入作業を、容易に、且つ、迅速に行うことができる。
【００４６】
上述したようにして、図１０に示されているように、短側壁３に、ロック部材４が取り付けられることになるが、ロック部材４が短側壁３に取り付けられた状態においては、ロック部材４を構成する箱状本体４ａの上部水平部４ａ１や側杆４ｃを構成する上部水平部４ｃ１が、短側壁３に形成された上部区画水平リブ３ｄに近接した位置にある。このように、ロック部材４が、短側壁３に形成された上部区画水平リブ３ｄ側に位置している状態においては、ロック部材４を構成する箱状本体４ａの下部水平部４ａ２や側杆４ｃを構成する下部水平部４ｃ２と、短側壁３に形成された下部区画水平リブ３ｅとの間、換言すれば、ロック部材４と短側壁３に形成された下部区画水平リブ３ｅとの間には、ロック部材４が下動可能な所定の間隙が存在するように構成されている。また、ロック部材４が、短側壁３に取り付けられた際には、図１０に示されているように、ロック部材４を構成する係合ブロック４ｅが、短側壁３に形成された帯状枠３ｈを越えて、外側に飛び出さないように構成されている。
【００４７】
また、ロック部材４が、短側壁３に形成された上部区画水平リブ３ｄ側に位置している状態においては、図１０に示されているように、短側壁３に形成された一対の端部寄り垂直連結リブ３ｋの先端面に突設された略三角柱状の取付けブロック３ｎは、ロック部材４を構成する側杆４ｃの閉鎖板４ｃ４に、所定の間隔を置いて穿設された一対の縦長のスリット４ｉの下方に位置しており、同様に、短側壁３に形成された端部垂直連結リブ３ｊの帯状枠３ｈ側の側面３ｊ１に突設された嵌合突部３ｐは、ロック部材４を構成する端側部４ｄに穿設された縦長の透孔４ｄ１の下方に位置するように構成されている。また、ロック部材４を構成する係合ブロック４ｅは、長側壁２に形成された帯状枠３ｈの切欠き凹部３ｉの前方に位置するように構成されている。
【００４８】
ロック部材４が、短側壁３に形成された上部区画水平リブ３ｄ側に位置している状態から、ロック部材４の箱状本体４ａに形成された把手用凹部４ｂに指を入れて、ロック部材４を、下部区画水平リブ３ｅ方向に移動させると、短側壁３の板状部３ａに突設された弾性片載置ブロック３ｑの上面に載置されているロック部材４の弾性片４ｈは、端側部４ｄに向かって下方に傾斜した状態から、略水平状態に弾性変形することになる。この状態において、ロック部材４から手を離すと、弾性変形した弾性片４ｈの復元力により、ロック部材４は、上部区画水平リブ３ｄ方向に移動し、上部区画水平リブ３ｄに接近した元の状態に戻ることになる。
【００４９】
また、ロック部材４を構成する側杆４ｃの閉鎖板４ｃ４に穿設された一対の縦長のスリット４ｉに、短側壁３に形成された一対の端部寄り垂直連結リブ３ｋの先端面に突設された略三角柱状の取付けブロック３ｎがそれぞれ挿入されているので、ロック部材４の短側壁３に形成された上部区画水平リブ３ｄ方向への移動或いは下部区画水平リブ３ｅ方向への移動の際には、取付けブロック３ｎが、縦長のスリット４ｉに案内されながら移動することになるので、ロック部材４の水平方向への移動が抑制されることになり、従って、常に安定した状態で、ロック部材４を上下動することができ、ひいては、長側壁２と短側壁３とのロック作業及びロック解除作業を、確実に行うことができる。
【００５０】
更に、上述したように、ロック部材４を構成する側杆４ｃの閉鎖板４ｃ４に穿設された一対の縦長のスリット４ｉに、短側壁３に形成された一対の端部寄り垂直連結リブ３ｋの先端面に突設された取付けブロック３ｎが挿入された際には、取付けブロック３ｎの楔状部３ｎ’を構成する奥面３ｎ５の先端部が、短側壁３の板状部３ａの外面３ａ１に当接、或いは、接近しているので、ロック部材４の短側壁３に形成された上部区画水平リブ３ｄ方向への移動或いは下部区画水平リブ３ｅ方向への移動の際には、ロック部材４の短側壁３の板状部３ａ方向への移動が抑制されることになり、従って、常に安定した状態で、ロック部材４を上下動することができ、ひいては、長側壁２と短側壁３とのロック作業及びロック解除作業を、確実に行うことができる。
【００５１】
更にまた、ロック部材４を構成する端側部４ｄに穿設された縦長の透孔４ｄ１に、端部垂直連結リブ３ｊの帯状枠３ｈ側の側面３ｊ１に突設された嵌合突部３ｐが挿入されているので、ロック部材４の短側壁３に形成された上部区画水平リブ３ｄ方向への移動或いは下部区画水平リブ３ｅ方向への移動の際には、嵌合突部３ｐが、縦長の透孔４ｄ１に案内されながら移動することになるので、ロック部材４の短側壁３の板状部３ａ方向への移動が抑制されることになり、従って、常に安定した状態で、ロック部材４を上下動することができ、ひいては、長側壁２と短側壁３とのロック作業及びロック解除作業を、より確実に行うことができる。
【００５２】
なお更に、ロック部材４が、短側壁３に取り付けられた際には、ロック部材４を構成する端側部４ｄと端部垂直連結リブ３ｊの帯状枠３ｈ側の側面３ｊ１とが接近するように構成されているので、ロック部材４の短側壁３に形成された上部区画水平リブ３ｄ方向への移動或いは下部区画水平リブ３ｅ方向への移動の際には、ロック部材４の水平方向への移動が抑制されることになり、従って、常に安定した状態で、ロック部材４を上下動することができ、ひいては、長側壁２と短側壁３とのロック作業及びロック解除作業を、更に確実に行うことができる。
【００５３】
上述したように、一体成形されたロック部材４を、短側壁３に対向するように配置した後に、ロック部材４を、単に、短側壁３に接近させるだけの作業により、ロック部材４を、短側壁３に取り付けることができるので、ロック部材４の短側壁３への取り付け作業の作業性が向上する。
【００５４】
また、ロック部材４は、合成樹脂で一体成形されているので、上述した従来の複数の部品から構成されているロック部材のように、部品間に緩みが生じるようなことがなく、従って、常に安定した状態で、長側壁２と短側壁３とのロック状態を維持することができる。
【００５５】
次に、図３に示されているように、折り畳まれた状態の折り畳みコンテナーを、図１に示されているように、箱型に組み立てる作業について説明する。
【００５６】
先ず最初に、略水平状態の長側壁２を、垂直方向に回動させて、図２に示されているように、略垂直に立てる。次いで、底部１に重なるようにして折り畳まれている短側壁３を、垂直方向に回動させると、短側壁３の嵌合突部３ｈ１が突設されている帯状枠３ｈが、長側壁２に形成された係合枠２ｂに対向するように接近し、更に、短側壁３を、垂直方向に回動させると、短側壁３の帯状枠３ｈに突設されている嵌合突部３ｈ１の先端部が、長側壁２の係合枠２ｂに形成された嵌合孔２ｂ１に挿入される。この嵌合突部３ｈ１の嵌合孔２ｂ１への挿入過程と前後して、ロック部材４を構成する係合ブロック４ｅの傾斜面４ｅ４が、長側壁２に形成されている係止ブロック２ｃの傾斜面２ｃ２’に当接することになる。その後、更に、短側壁３を、垂直方向に回動させると、ロック部材４は、長側壁２に形成されている係止ブロック２ｃの傾斜面２ｃ２’に沿って下方に、即ち、短側壁３に形成された下部区画水平リブ３ｅ方向へ移動することになり、このロック部材４の下動により、短側壁３の板状部３ａに突設された弾性片載置ブロック３ｑの上面に載置されているロック部材４の弾性片４ｈは、上述したように弾性変形することになる。ロック部材４が、長側壁２に形成されている係止ブロック２ｃの傾斜面２ｃ２’に沿って更に下動すると、図１１に示されているように、遂には、ロック部材４の係合ブロック４ｅの上端が、長側壁２に形成されている係止ブロック２ｃの下端に到達するとともに、ロック部材４の係合ブロック４ｅが、長側壁２に形成されている係止ブロック２ｃから外れることになる。このように、ロック部材４の係合ブロック４ｅが、長側壁２に形成されている係止ブロック２ｃから外れると、短側壁３の板状部３ａに突設された弾性片載置ブロック３ｑの上面に載置され、弾性変形されたロック部材４の弾性片４ｈの復元力により、ロック部材４が、上方に、即ち、短側壁３に形成された上部区画水平リブ３ｄ方向へ移動し、図１２に示されているように、ロック部材４の係合ブロック４ｅが、長側壁２の形成された係合枠２ｂの内側面２ｂ２と係止ブロック２ｃの対向面２ｃ１との間に形成された間隙Ｗ１に入り込むとともに、短側壁３の帯状枠３ｈに突設されている嵌合突部３ｈ１が、長側壁２の係合枠２ｂに形成された嵌合孔２ｂ１に挿入される。なお、ロック部材４の係合ブロック４ｅが、長側壁２の形成された係合枠２ｂの内側面２ｂ２と係止ブロック２ｃの対向面２ｃ１との間に形成された間隙Ｗ１に入り込んだ際には、係止ブロック２ｃの一部は、短側壁３の帯状枠３ｈに形成されている切欠き凹部３ｉに挿入されることになる。このようにして、折り畳まれた状態の折り畳みコンテナーが、箱型に組み立てられることになる。
【００５７】
上述したように、箱型に組み立てられた状態から、短側壁３に、短側壁３を底部１方向に倒すような外力が加わっても、短側壁３に取り付けられたロック部材４の係合ブロック４ｅが、長側壁２に形成された係止ブロック２ｃに当接し、短側壁３の底部１方向への回動が阻止されることになる。
【００５８】
上述したように、折り畳まれた状態の折り畳みコンテナーを箱型に組み立てる際には、長側壁２に次いで、短側壁３を、略垂直に立てられた長側壁２方向へ回動させるだけで、上述したように、短側壁３に形成された弾性片載置ブロック３ｑに載置されているロック部材４の弾性片４ｈが弾性変形しながら、ロック部材４が、長側壁２に形成されている係止ブロック２ｃの傾斜面２ｃ２’に沿って下動することになり、遂には、上述したように、ロック部材４の係合ブロック４ｅが、長側壁２に形成されている係止ブロック２ｃから外れるとともに、弾性変形されたロック部材４の弾性片４ｈの復元力により、ロック部材４が上動し、長側壁２の形成された係合枠２ｂの内側面２ｂ２と係止ブロック２ｃの対向面２ｃ１との間に形成された間隙Ｗ１に入り込み、長側壁２と短側壁３とがロックされた状態となる。従って、ロック部材４の把手用凹部４ｂに手を入れて、作業者が、ロック部材４を下方に移動させる必要はない。
【００５９】
図１に示されているように、箱型に組み立てられた折り畳みコンテナーを、図３に示されているように、折り畳むには、先ず最初に、ロック部材４の把手用凹部４ｂに手を入れて、作業者が、ロック部材４を、短側壁３に形成された弾性片載置ブロック３ｑに載置されているロック部材４の弾性片４ｈの弾性力に抗して下動させて、図１３に示されているように、ロック部材４の係合ブロック４ｅを、長側壁２の形成された係合枠２ｂの内側面２ｂ２と係止ブロック２ｃの対向面２ｃ１との間に形成された間隙Ｗ１から排出させる。次いで、短側壁３を、底部１方向に倒して、底部１に重ねる。次いで、長側壁２を底部１方向に倒して、底部１に重ねられている短側壁３の上に重ねることにより、箱型に組み立てられた折り畳みコンテナーを、折り畳むことができる。
【００６０】
上述したように、ロック部材４に穿設されたスリット４ｉに、短側壁３に形成された取付けブロック３ｎを挿入するとともに、取付けブロック３ｎの傾斜面３ｎ４と奥面３ｎ５とにより形成される楔状部３ｎ’が、ロック部材４に穿設されたスリット４ｉ付近の閉鎖板４ｃ４に係合するように構成することにより、ロック部材４の短側壁３からの離脱が防止されている。更に、上述したように、ロック部材４に穿設された縦長の透孔４ｄ１に、短側壁３に突設された嵌合突部３ｐを挿入することにより、ロック部材４の短側壁３からの離脱が防止されるように構成されている。このように、上述した実施例には、ロック部材４に穿設されたスリット４ｉと短側壁３に形成された取付けブロック３ｎとによるロック部材４の短側壁３への取り付け手段と、ロック部材４に穿設された縦長の透孔４ｄ１と短側壁３に突設された嵌合突部３ｐとによるロック部材４の短側壁３への取り付け手段との２つの取り付け手段により、ロック部材４が、短側壁３に取り付けられている例が示されているが、何方か一方の取り付け手段のみにより、ロック部材４を、短側壁３に取り付けるように構成することもできる。
【００６１】
上述した実施例には、長側壁２に、１個の係止ブロック２ｃが形成されている例が示されているが、上下方向に、２個以上の係止ブロック２ｃを形成することもできる。この場合には、複数個の係止ブロック２ｃに対応して、ロック部材４には、複数個の係合ブロック４ｅが形成されることになる。
【００６２】
また、上述した実施例には、箱型に組み立てられた状態から、先に底部１方向に倒される短側壁３に、ロック部材４を取り付け、後から底部１方向に倒される長側壁２には、ロック部材４に形成された係合ブロック４ｅと係合する係止ブロック２ｃを形成した例が示されているが、箱型に組み立てられた状態から、先に、長側壁２を、底部１方向に倒し、次いで、短側壁３を、底部１方向に倒すように構成することもできる。この場合には、先に底部１方向に倒される長側壁２に、ロック部材４を取り付け、後から底部１方向に倒される短側壁３に、ロック部材４に形成された係合ブロック４ｅと係合する係止ブロック２ｃを形成することになる。
【図面の簡単な説明】
【００６３】
【図１】図１は、本発明の折り畳みコンテナーが箱型に組み立てられた状態の斜視図である。
【図２】図２は、本発明の折り畳みコンテナーの組み立て途中或いは折り畳み途中の斜視図である。
【図３】図３は、本発明の折り畳みコンテナーの折り畳まれた状態の斜視図である。
【図４】図４は、本発明の折り畳みコンテナーの長側壁及び底部の部分拡大斜視図である。
【図５】図５は、本発明の折り畳みコンテナーの短側壁の部分斜視図である。
【図６】図６は、本発明の折り畳みコンテナーの短側壁の部分拡大斜視図である。
【図７】図７は、本発明の折り畳みコンテナーを構成するロック部材を前面から見た斜視図である。
【図８】図８は、本発明の折り畳みコンテナーを構成するロック部材を背後から見た斜視図である。
【図９】図９は、ロック部材の短側壁への取り付けを説明するための本発明の折り畳みコンテナーの短側壁とロック部材の斜視図である。
【図１０】図１０は、ロック部材が取り付けられた状態の本発明の折り畳みコンテナーの短側壁の部分斜視図である。
【図１１】図１１は、ロック部材のロック作業を説明するための本発明の折り畳みコンテナーの長側壁等の部分拡大斜視図である。
【図１２】図１２は、ロック部材のロック作業を説明するための図１１と同様の本発明の折り畳みコンテナーの長側壁等の部分拡大斜視図である。
【図１３】図１３は、ロック部材のロック解除作業を説明するための図１１と同様の本発明の折り畳みコンテナーの長側壁等の部分拡大斜視図である。
【符号の説明】
【００６４】
１・・・・・・・・・・・・・・・・・・・・底部
２・・・・・・・・・・・・・・・・・・・・長側壁
２ｂ・・・・・・・・・・・・・・・・・・・係合枠
２ｃ・・・・・・・・・・・・・・・・・・・係止ブロック
３・・・・・・・・・・・・・・・・・・・・短側壁
３ｈ・・・・・・・・・・・・・・・・・・・帯状枠
３ｈ１・・・・・・・・・・・・・・・・・・嵌合突部
３ｎ・・・・・・・・・・・・・・・・・・・取付けブロック
３ｐ・・・・・・・・・・・・・・・・・・・嵌合突部
４・・・・・・・・・・・・・・・・・・・・ロック部材
４ｄ・・・・・・・・・・・・・・・・・・・端側部
４ｄ１・・・・・・・・・・・・・・・・・・透孔
４ｅ・・・・・・・・・・・・・・・・・・・係合ブロック
４ｈ・・・・・・・・・・・・・・・・・・・弾性片
４ｉ・・・・・・・・・・・・・・・・・・・スリット
【図１】
2006137458.tif 000003
【図２】
2006137458.tif 000004
【図３】
2006137458.tif 000005
【図４】
2006137458.tif 000006
【図５】
2006137458.tif 000007
【図６】
2006137458.tif 000008
【図７】
2006137458.tif 000009
【図８】
2006137458.tif 000010
【図９】
2006137458.tif 000011
【図１０】
2006137458.tif 000012
【図１１】
2006137458.tif 000013
【図１２】
2006137458.tif 000014
【図１３】
2006137458.tif 000015